(57)【要約】      （修正有）【課題】片手でも背中の洗浄が容易であり、且つ、効果的に背中を洗浄することができる身体洗浄用具を提供する。【解決手段】全体環状帯体に形成された身体洗浄用具１０であって、帯体１１を形成する布材の長さ方向一端部における幅方向一端部１４が、上記布材の長さ方向他端部における幅方向他端部１０に接合すると共に、上記長さ方向一端部における幅方向他端部１５を上記長さ方向他端部１３における幅方向一端部１７に接合するように捻って、布材の端部を接合した構成とする。【選択図】図１
0003165966.tif 000002
【実用新案登録請求の範囲】
【請求項１】
全体環状帯体に形成された身体洗浄用具であって、帯体を形成する布材の長さ方向一端部における幅方向一端部が、上記布材の長さ方向他端部における幅方向他端部に接合すると共に、上記長さ方向一端部における幅方向他端部を上記長さ方向他端部における幅方向一端部に接合するように捻って、布材の端部を接合したことを特徴とする身体洗浄具。
【請求項２】
上記布材は、使用者が帯体内に首を通して一方の肩から他方側の胴部へ斜めにたすき掛け状態で装着できる長さ寸法に形成されていることを特徴とする請求項１記載の身体洗浄用具。
【請求項３】
上記布材はメッシュ地により形成されていることを特徴とする請求項２記載の身体洗浄用具。
【請求項４】
上記布材には地色とは異なる色彩が付された部位が形成されていることを特徴とする請求項３記載の身体洗浄用具。
【請求項５】
上記異なる色彩が付された部位は、布材全体の長さ寸法の半分の長さに形成されていることを特徴とする請求項４記載の身体洗浄用具。
【考案の詳細な説明】
【技術分野】
【０００１】
本考案は、身体の背中部分を洗浄しうる身体洗浄用具であって、特に身障者、若しくは高齢者等であっても、容易に使用することができる身体洗浄用具に関する。
【背景技術】
【０００２】
入浴時において、背中部分を洗う場合には、タオル生地、若しくはメッシュ状の布材等からなる、帯布を用いることが一般的である。
上記帯布を用いて背中部分を洗浄する場合は、帯布の一端部を左右いずれか一方側の肩口に配置し、背中部分を経由して、他方側の腰位置に他端部を配置し、上記帯布の各々の両端部を夫々手で把持して、帯布を交互に身体前方に引くことによって、上記帯布によって背中が擦られ、背中部分が洗浄される。
【０００３】
上記動作は、健常な大人であれば、何ら問題は無く行えるが、片手の自由が効かない身障者、及び高齢者等にとっては、帯布を両端部で把持して引っ張るための充分な力を有さないことから、非常に困難な動作であり、この結果、充分に背中を洗浄することができず、入浴時に介護者が必要となる等という不具合を有していた。
【０００４】
身障者、高齢者向けとして、長方形のボディタオル等の生地をつなぎ合わせて、全体略環状に形成した身体洗浄用具が提案されている（特許文献１）。
図３に示すように、特許文献１に係る身体洗浄用具４０は、タオル素材４１と異なる素材４２をつなぎ合わせて、環状帯体に形成されている。
環状に形成されていることによって、背中を洗う際には、従来の帯布の場合と同様に身体洗浄用具４０を重ね合わせた状態で身体の背中側に配置し、重ね合わせることによって形成される両端部４３、４４に手指を引っ掛けて身体前方に交互に引くことによって、両端を手のひらで把持しなくても、充分な力が加わった状態で背中を洗浄することができる。
しかしながら、上記両端部４３、４４に手指を掛けるため、洗浄操作には両手が必要となるため、片手が麻痺しているような場合には上記の形態で使用することができない。
【０００５】
また、特許文献１に係る身体洗浄用具４０を、上記身体洗浄具４０を環状にして、帯体内部に使用者の上半身を通して、たすき掛け状態で装着し、一方の手で、身体洗浄用具４０の一部を把持して、周方向に回転させることによって、背中を洗浄する方法も考えられる。
しかし、上記身体洗浄用具４０は、ボディタオルから形成されているため、幅寸法が大きく、片手で掴む場合、把持し難いという不具合を有していた。
また、帯体の両端部４３、４４に指を掛けて洗浄する方法と比較して、背中側に加わる力が小さくなり、十分に背中が洗えない虞があるという別途の不具合をも有していた。
【特許文献１】実開平５−３４９９４号公報
【考案の開示】
【考案が解決しようとする課題】
【０００６】
本考案の課題は、上記不具合を解消し、片手でも背中の洗浄が容易であり、且つ、効果的に背中を洗浄することができる身体洗浄用具を提供することにある。
【課題を解決するための手段】
【０００７】
上記課題を解決するため、請求項1に記載した考案に係る身体洗浄用具は、全体環状帯体に形成された身体洗浄用具であって、帯体を形成する布材の長さ方向一端部における幅方向一端部が、上記布材の長さ方向他端部における幅方向他端部に接合すると共に、上記長さ方向一端部における幅方向他端部を上記長さ方向他端部における幅方向一端部に接合するように捻って、布材の端部を接合したことを特徴とする。
【０００８】
上記のように、長さ方向一端部における幅方向一端部が、上記布材の長さ方向他端部における幅方向他端部に接合すると共に、上記長さ方向一端部における幅方向他端部を上記長さ方向他端部における幅方向一端部に接合するように捻って接合した環状帯体は、メビウスの帯と称され、表面と裏面との区別が無いリングであり、一般的にはメビウスの輪等と称されている。
環の一部に捻れ部分を有することから、帯体内に頭を通して、たすき掛けの状態として、帯体を回転させる場合に、上記帯体は、捻れ部分において幅方向に丸まり細くなることから、手で把持し易く、且つ帯体を引き下ろして回転させる場合にも力が入り易い。
【０００９】
また、請求項２に記載した考案に係る身体洗浄用具は、上記布材は、使用者が帯体内に首を通して一方の肩から他方側の胴部へ斜めにたすき掛け状態で装着できる長さ寸法に形成されていることを特徴とする。
【００１０】
従って、たすき掛けとした場合にも、体を締め付けず、帯体を引き下ろして回転させる場合にスムーズに回転する。
【００１１】
また、請求項３に記載した考案に係る身体洗浄用具は、上記布材はメッシュ地により形成されていることを特徴とする。
【００１２】
従って、メッシュ生地による伸縮作用によって、たすき掛けとした場合柔軟に伸縮し、スムーズに回転すると共に、石鹸等をつけた場合に泡立ちし易く、タオル生地よりも、体表面との摩擦が大きくなる。
【００１３】
また請求項４に記載した考案に係る身体洗浄用具は、上記布材には地色とは異なる色彩が付された部位が形成されていることを特徴とする。
【００１４】
従って、帯体をたすき掛けして、帯体を回転させた場合に、何周回転させたかを、カウントし易くなる。
【００１５】
また請求項５に記載した考案に係る身体洗浄用具は、上記異なる色彩が付された部位は、布材全体の長さ寸法の半分の長さに形成されていることを特徴とする。
【００１６】
従って、回転数のカウントが半周単位で可能となる。
【考案の効果】
【００１７】
請求項１の考案に係る身体洗浄用具は、全体環状帯体に形成された身体洗浄用具であって、帯体を形成する布材の長さ方向一端部における幅方向一端部が、上記布材の長さ方向他端部における幅方向他端部に接合すると共に、上記長さ方向一端部における幅方向他端部を上記長さ方向他端部における幅方向一端部に接合するように捻って、布材の端部を接合したことから、帯体内に頭を通して、たすき掛けの状態として、帯体を回転させる場合に、上記帯体は、捻れ部分において幅方向に丸まり細くなることから、手で把持し易く、且つ帯体を引き下ろして回転させる場合に力が入り易い。
従って、片手であっても、背中の洗浄が容易であり、且つ、効果的に背中を洗浄することができる身体洗浄用具を提供することができる。
【００１８】
また、請求項２の考案に係る身体洗浄用具は、上記布材は、使用者が帯体内に首を通して一方の肩から他方側の胴部へ斜めにたすき掛け状態で装着できる長さ寸法に形成されていることから、たすき掛けとした場合にも、体を締め付けず、帯体を引き下ろして回転させる場合にスムーズに回転させることができるため、洗浄操作をより行い易くなる。
【００１９】
また、請求項３に記載した考案に係る身体洗浄用具は、上記布材はメッシュ地により形成されていることから、メッシュ生地による伸縮作用によって、たすき掛けとした場合柔軟に伸縮し、スムーズに回転すると共に、石鹸の泡立ちがく、肌との摩擦力も大きくなるため、小さな力であっても、大きな洗浄効果を得ることができる。
【００２０】
また請求項４に記載した考案に係る身体洗浄用具は、上記布材には地色とは異なる色彩が付された部位が形成されていることから、帯体をたすき掛けして、帯体を回転させた場合に、何周回転させたかを、カウントし易く、例えば、左右５回転ずつ等の取り決めをしておくことによって、高齢者が介護者の補助うけることなく、確実に体を洗浄することができる。
特に、請求項５に記載した考案に係る身体洗浄用具は、上記異なる色彩が付された部位は、布材全体の長さ寸法の半分の長さに形成されていることから、回転数のカウント数を、より確実に知ることができる。
【図面の簡単な説明】
【００２１】
【図１】本考案に係る身体洗浄用具の一実施の形態を示す全体斜視図である。
【図２】本考案に係る身体洗浄用具の一実施の形態を示し、実施例に係る身体洗浄用具をたすき掛けの状態で体に装着した場合の身体正面図である。
【図３】従来の身体洗浄用具を示す斜視図である。
【考案を実施するための最良の形態】
【００２２】
以下、本考案に係る考案の実施形態について、添付図面を用いて説明する。  
図１に示すように、本実施例に係る身体洗浄用具１０は、全体環状帯体に形成され、帯体１１を形成し、メッシュ地により形成された布材１１ａの長さ方向一端部１２における幅方向一端部１４が、上記布材１１ａの長さ方向他端部１３における幅方向他端部１６に接合すると共に、上記長さ方向一端部１２における幅方向他端部１５を上記長さ方向他端部１３における幅方向一端部１７に接合するように捻って、布材１１ａの端部を接合している。
また、図２に示すように、上記布材１１ａは、使用者が帯体１１内に首を通して一方の肩１８から他方側の胴部１９へ斜めにたすき掛け状態で装着できる長さ寸法に形成されている。
また、図１に示すように、上記布材１１ａには地色とは異なる色彩が付された部位が形成２０され、上記異なる色彩が付された部位２０は、布材１１ａの全体の長さ寸法の半分の長さに形成されている。
【実施例１】
【００２３】
本考案の実施例の構成について、添付図面を用いて詳述する。
図１は本実施例に係る身体洗浄用具１０の全体斜視図である。
図１に示すように、帯体１１は、合成繊維からなるメッシュ状の布材１１ａから形成されている。
メッシュの網目の大きさ等については、体の洗浄に適していれば、特に限定されず、適宜調整することができる。
本実施例においては、上記布材１１ａの長さ寸法は約１ｍ４０ｃｍに形成されているが、図２に示すように、たすき掛け状態に装着した場合に、無理なく回転させることができる寸法であれば、使用者の体形等に合わせて適宜調整することができる。
なお、帯体１１は、約１ｍ４０ｃｍの長さ寸法の布材１１ａを長さ中央部を境界として地色と異なる色に着色する方法、若しくは、予め別色に地色と異なる色に着色された長さ寸法約７０ｃｍの布材片を２本つないで一本の布材１１ａに形成する方法のいずれを選択してもよい。
【００２４】
本実施例の作用について添付図面を用いて説明する。
図２は本実施例に係る身体洗浄用具１０によって背中を洗浄する場合を例とした身体の正面図である。
図２に示すように身体洗浄用具１０は、帯体１１の内部に頭２１を通し、左肩１８から右胴部１９に掛けてたすき掛け状態になるように装着する。
図２に示すように、体の洗浄を行う場合には、右手２２で、左肩１８近傍の帯体１１の一部分２３を把持する。
この際、帯体１１は布材１１ａが捻れて接合されていることから、捻れ部分を中心に帯体１１が幅方向に丸められた状態となっている。
このため、右手２２で、帯体１１の一部分２３を把持する場合に、掴み易く、図中矢印Ａの方向に帯体１１を引き下げて、帯体１１を回転させる際に、力が入り易いことから、背中が帯体１１で強く摩擦され、高い洗浄効果を得ることができる。
従って、身障者、高齢者等でも自分の背中を自分自身で簡単に洗うことができるため、入浴時における介助者の負担を軽減することができる。
【００２５】
また、図１に示すように、上記布材１１ａには地色とは異なる色彩が付された部位２０が形成され、上記異なる色彩が付された部位２０は、布材１１ａの全体の長さ寸法の半分の長さに形成されているため、図２に示すように、たすき掛け状態で身体洗浄用具１０を図中Ａの方向に回転させた場合、色が変わる回数を目視で数えることによって、帯体１１を何回転させたかを簡単に把握することできる。
従って、子供や高齢者等が使用する場合に、例えば、左右夫々５回転ずつ洗う等と取り決めておくことによって、介護者や保護者がいなくても、確実に背中を洗うことができる。
【００２６】
なお、メッシュ状の布材の素材は、綿等の天然繊維を選択することも可能であり、合成繊維の種類についても、特に限定する必要はない。
また健常者であっても、本実施例の身体洗浄用具を用いることによって、より楽に背中を洗浄することが可能である。
【産業上の利用可能性】
【００２７】
本考案は、身体の背中部分を洗浄しうる身体洗浄用具であって、特に身障者、若しくは高齢者等であっても、容易に使用することができる身体洗浄用具に適用可能である。
【符号の説明】
【００２８】
１０  身体洗浄用具
１１  帯体
１１ａ布材
１２  布材の長さ方向一端部
１３  布材の長さ方向他端部
１４  布材の長さ方向一端部における幅方向一端部
１５  布材の長さ方向一端部における幅方向他端部
１６  布材の長さ方向他端部における幅方向他端部
１７  布材の長さ方向他端部における幅方向一端部
１８  一方側の（左）肩
１９  他方側の（右）胴部
２０  異なる色の部位
２１  頭
２２  右手
２３  帯体の一部分
４０  身体洗浄用具
４１  タオル素材
４２  異なる素材
４３  身体洗浄用具を重ね合わせることによって形成される端部
４４  身体洗浄用具を重ね合わせることによって形成される端部
【図１】
0003165966.tif 000003
【図２】
0003165966.tif 000004
【図３】
0003165966.tif 000005